(57)【特許請求の範囲】
【請求項１】
ケースに形成された開口部の一辺に回動自在に支持された蓋の回動遊端側に、上記開口部に挿入される方向に突出して形成されたロック片と、このロック片を迎えるケースの内側の位置に設けられ、上記ロック片を迎え入れてロック片を抜け止めして上記蓋の閉状態をロックし、このロック状態で上記蓋を上記ケースの内側に更に押し込むことにより、上記ロック片の抜け止め状態から解放するプッシュ−プッシュロック機構とによって構成される蓋のロック装置において、
上記蓋の回動遊端の内面と対向して上記ケースと一体に平坦面を形成し、この平坦面と上記蓋の回動遊端の内面との間に間隙を設け、この間隙により上記プッシュ−プッシュロック機構が蓋のロック状態から解放させるストロークを与えると共に、この間隙部分に選択的に配置されて、上記蓋の移動を阻止する補助ロック板を設けて構成したことを特徴とする蓋の補助ロック装置。
【請求項２】
請求項１記載の蓋の補助ロック装置において、上記補助ロック板を上記蓋の回動遊端の辺と平行する方向に可動自在に支持すると共に、蓋の回動遊端の内面にはケースの開口部の内側に向かって突出する突起を形成し、この突起と対向する位置と、突起と対向しない位置に上記補助ロック板を選択的に配置する構造としたことを特徴とする蓋の補助ロック装置。
【請求項３】
請求項１記載の蓋の補助ロック装置において、上記補助ロック板は上記蓋の回動遊端の辺と直交する方向に可動自在に支持され、上記蓋の内面と上記ケースに形成した平坦面との間に突出した状態と非突出状態とに選択的に配置する構造としたことを特徴とする蓋の補助ロック装置。
【発明の詳細な説明】
【０００１】
【発明の属する技術分野】
この発明は例えば鍵盤楽器のケース等に適用して好適な蓋の補助ロック装置に関し、特に閉塞状態をロックして不用意に開放されることのない蓋の補助ロック装置を提供しようとするものである。
【０００２】
【従来の技術】
従来より蓋の開閉を簡素に行うようにするために、プッシュ−プッシュロック機構により蓋の閉塞状態をロックする蓋のロック装置が広く実用されている。
図３にその一例を示す。この図３は実開平４−４４７７９号公報に掲載された図である。図中１は蓋を示す。この蓋１はケース２の開口部３の一辺を支点としてヒンジ４により回動自在に支持され、開口部３を開状態と閉状態に開閉自在に支持される。
【０００３】
６は蓋１の内側の面（ケース２の内側にかくれる面）に突設したロック片を示す。このロック片６は先端が細く、先端から基部側に向かうに従って漸次太くなり、或る位置から再び細くなる頭部形状とされる。
このロック片６と対向してケース２の内側にプッシュ−プッシュロック機構５が設けられる。このプッシュ−プッシュロック機構５は角形の筒体５Ａと、この筒体５Ａの軸芯方向に可動自在に支持された一対の係合子５Ｂと、この係合子５Ｂを回動自在に支持し、角形の筒体５Ａの内部に係合子５Ｂを押し込むと、押し込まれた位置にロックし、このロック状態で再び係合子５Ｂを押し込むとロックが外れ、係合子５Ｂを筒体５Ａから突出する方向に押し出す可動ブロック（特に図示しない）とによって構成される。
【０００４】
このプッシュ−プッシュロック機構５の構造により蓋１を閉じるとロック片６の頭部形状がプッシュ−プッシュロック機構５の係合子５Ｂの間に入り込み、そのまま係合子５Ｂを筒体５Ａの内部に押し込むため、ロック片６は係合子５Ｂで挟み付けられ、可動ブロックが押し込まれた位置でロックされるため、蓋１は閉位置でロックされる。
このロック状態で蓋１に再び押圧力を与え、ロック片６を再度筒体５Ａの内部に向かってわずかに移動させると、筒体５Ａの内部に設けられているロック機構が外れ、これにより係合子５Ｂがバネの偏倚力によって筒体５Ａの外に向かって押し出され、蓋１は開状態となる。
【０００５】
このようにプッシュ−プッシュロック機構５を用いることにより蓋１を押す操作だけで開状態と、閉状態に操作することができ、操作性のよい蓋のロック装置が得られる。
なお、プッシュ−プッシュロック機構は広く一般に用いられる公知の構造であるため、これの構造に関しては、これ以上の詳細説明は省略する。
上述したように、プッシュ−プッシュロック機構５を用いることにより開閉操作が容易な蓋のロック装置を得ることができる。しかしながら、例えば運搬中に何等かの力が蓋１に加えられると蓋１が開いてしまう欠点がある。
【０００６】
特に電子楽器の分野ではこの種の蓋によって開閉される開口部３には高価なメモリカード等を装着している場合が多いため、運搬中に蓋１が開いてしまう現象は大きな事故につながるおそれがある。
このため、特開平４−４４７７９号公報では、図４と図５に示すようにケース２側にロック用台７を設けると共に、このロック用台７が存在する位置と、存在しない位置に選択的に移動させることができるロックノブ８を設け、このロックノブ８をロック用台７が存在する位置に設定することにより蓋１を押しても、蓋１はロックノブ８の存在により押圧方向に移動を阻止され、これがためにプッシュ−プッシュロック機構５がロック状態を解放することを防止し、蓋１が不用意に開くことがない蓋の補助ロック装置を提案している。
【０００７】
【発明が解決しようとする課題】
上記した公報で提案されているロックノブ８は肉薄に形成したヒンジ部９を有し、ロックノブ８をロック用台７と対向しない位置に設定した場合は、蓋１を押す方向の力に対してこのヒンジ部９はその可撓性によりロックノブ８を逃す方向に変形し、これにより蓋１の移動を許し、この移動の許可によりプッシュ−プッシュロック機構５のロックを外す構造としている。
【０００８】
従って、開閉の頻度に応じてロックノブ８の特にヒンジ部９の耐久性に問題が生じ、長期にわたって補助ロック機能を維持することがむずかしい欠点がある。
この発明の目的は開閉操作の頻度に関係なく、長期にわたって安全に使用することができる蓋の補助ロック装置を提案しようとするものである。
【０００９】
【課題を解決するための手段】
この発明の請求項１では、ケースに形成された開口部の一辺に回動自在に支持された蓋の回動遊端側に、開口部に挿入される方向に突出して形成されたロック片と、このロック片を迎えるケースの内側の位置に設けられ、ロック片を迎え入れてロック片を抜け止めし、蓋の閉状態をロックし、このロック状態で蓋をケースの内側に更に押し込むことにより、ロック片の抜け止め状態から解放するプッシュ−プッシュロック機構とによって構成される蓋のロック装置において、
蓋の回動遊端の内面と対向してケースと一体に平坦面を形成し、この平坦面と蓋の回動遊端の内面との間に間隙を設け、この間隙により上記プッシュ−プッシュロック機構が蓋のロック状態から解放させるストロークを与えると共に、この間隙部分に選択的に配置されて、上記蓋の移動を阻止する補助ロック板を設けて構成した蓋の補助ロック装置を提案する。
【００１０】
この発明の請求項２では、請求項１記載の蓋の補助ロック装置において、補助ロック板を蓋の回動遊端の辺と平行する方向に可動自在に支持すると共に、蓋の回動遊端の内面にはケースの開口部の内側に向かって突出する突起を形成し、この突起と対向する位置と、突起と対向しない位置に補助ロック板を選択的に配置する構造とした蓋の補助ロック装置を提案する。
この発明の請求項３では、請求項１記載の蓋の補助ロック装置において、補助ロック板を蓋の回動遊端の辺と直交する方向に可動自在に支持され、蓋の内面とケースに形成した平坦面との間に突出した状態と非突出状態とに選択的に配置する構造とした蓋の補助ロック装置を提案する。
【００１１】
作用
この発明の構成によれば、蓋をプッシュ−プッシュロック機構により閉状態にロックしている状態で補助ロック板の位置を移動させ、蓋の内面とケースに形成した平坦面との間に補助ロック板を選択的に配置することにより、この補助ロック板の存在により蓋はケースの内側に移動することを阻止される。
従って、蓋が閉じている状態において不用意に蓋に押圧力が与えられても、蓋のロック状態が解放されて開くことが阻止され、安全に蓋を閉状態に維持することができる。
【００１２】
【発明の実施の形態】
図１にこの発明による蓋の補助ロック装置の一実施例を示す。図３と対応する部分には同一符号を付して示す。つまり、３はケース２に形成した開口部、１はこの開口部３を開閉する蓋、４は蓋１を回動自在に支持するヒンジを示す。
６は蓋１の回動遊端１Ａの内側の面に突設したロック片を示す。このロック片６が開口部３の内側に設けたプッシュ−プッシュロック機構５に係合し、蓋１を閉位置にロックする。また、このロック状態で再度蓋１の回動遊端１Ａ（ロック片６の位置）を押すことによりプッシュ−プッシュロック機構５は内部に設けた反発バネによりロック片６を筒体５Ａから押し出し、蓋１を開放させる。
【００１３】
この発明ではプッシュ−プッシュロック機構５が蓋１を閉位置にロックしている状態で蓋１の回動遊端側を押下げしても、プッシュ−プッシュロック機構５のロックが外れない補助ロック機構１２を付加した構造を特徴とするものである。
図１に示す実施例では補助ロック機構１２を構成する補助ロック板１２Ａ，１２Ｂを蓋１の回動遊端１Ａ側の辺と平行する方向に移動自在に支持した場合を示す。つまり、この実施例では蓋１の回動遊端１Ａの内面側に一対の突起１２Ｃ，１２Ｄを形成し、この突起１２Ｃ，１２Ｄと補助ロック板１２Ａ，１２Ｂの位置を対向させる状態（ロック位置）に設定することにより蓋１のロック状態を維持させ、突起１２Ｃ，１２Ｄを補助ロック板１２Ａ，１２Ｂの位置を非対向の状態（アンロック位置）に設定した場合は、蓋１を自由に開閉操作できる構造としたものである。
【００１４】
補助ロック板１２Ａ，１２Ｂはツマミ１２Ｅによって蓋１の回動遊端１Ａと平行する方向に移動できるように支持される。図１に示す例では、補助ロック板１２Ａ，１２Ｂをケース２を構成する板の裏側に摺動自在に配置すると共に、ツマミ１２Ｅによってロック位置とアンロック位置に自由に位置を設定できるように支持する。これと共に、開口部３の周縁に形成した段部１３の面にスリットＳを形成し、このスリットＳを通じて補助ロック板１２Ａと１２Ｂを平坦面１４に導出する。
【００１５】
蓋１の回動遊端１Ａの内面側に形成した突起１２Ｃ，１２Ｄは補助ロック板１２Ａ，１２Ｂがロック位置に配置されている状態で互いに位置が対向し、蓋１を閉じた状態では突起１２Ｃと１２Ｄは補助ロック板１２Ａと１２Ｂと対接し、この状態で蓋１を押下げしても突起１２Ｃと１２Ｄが補助ロック板１２Ａ，１２Ｂに衝合し、蓋１はケース２の内部に向かって偏移することを阻止される。従って、この状態ではプッシュ−プッシュロック機構５はロック片６を解放することがなく、補助ロック動作が達せられる。
【００１６】
一方、ツマミ１２Ｅをアンロック位置に設定した場合には、突起１２Ｃと１２Ｄは補助ロック板１２Ａ，１２Ｂと対向しない状態となる。このため、突起１２Ｃ，１２Ｄの先端と平坦面１４との間に空隙が形成されるから、この空隙により蓋１は押下力が与えられると、ケース２の内側に向かって偏移することができ、この偏移によってプッシュ−プッシュロック機構５はロック片６を解放し、蓋１を開いた状態に開放する。
従って、この発明によれば蓋１を閉じ、プッシュ−プッシュロック機構５によりロック片６をロックした状態でツマミ１２Ｅをロック位置に設定すれば、蓋１に大きな押下力が与えられても蓋１が開くことはない。この結果、運搬中等において開口部３に格納した部品等を確実に保護することができる利点が得られる。尚、ツマミ１２Ｅは特に図示していないが、ロック位置とアンロック位置との間に節度手段が設けられ、この節度手段により節度が与えられ、簡単に位置が移動しない構造で支持されている。
【００１７】
図２はこの発明の他の実施例を示す。この実施例では、補助ロック板１２Ａ，１２Ｂを蓋１の回動遊端１Ａと直交する方向に移動させてロック状態とアンロック状態に制御する構造とした場合を示す。
つまり、この場合にはツマミ１２Ｅを進退させることにより、補助ロック板１２Ａと１２Ｂは平坦面１４上に突出して存在する状態と、平坦面１４上から排除された状態に制御することができる。なお、この場合、蓋１側に設けた突起１２Ｃと１２Ｄは必ずしも必要がない。
【００１８】
つまり、補助ロック板１２Ａと１２Ｂが平坦面１４上に突出して存在する場合は、蓋１の裏面が直接補助ロック板１２Ａと１２Ｂに当接すれば、蓋１は押下力に対して偏移することを阻止され、これにより補助ロック動作が達せられる。
一方、補助ロック板１２Ａ，１２Ｂが平坦面から排除された状態に設定した場合には、蓋１は補助ロック板１２Ａ，１２Ｂの板の厚み相当のストローブが与えられるため、押下操作力に対して蓋１は偏移することができ、この偏移動作によってプッシュ−プッシュロック機構５のロックを解除することができる。以上の説明から明らかなように、図２に示す実施例では、図１に示した突起１２Ｃと１２Ｄは必須の構成でないことは容易に理解できよう。
【００１９】
【発明の効果】
以上説明したように、この発明によればプッシュ−プッシュロック機構５によって閉じた状態をロックされる蓋のロック機構において、補助ロック機構により蓋が不用意に開いてしまうことを阻止することができ、運搬中等で蓋が開放れることによる事故を防止することができる。
また、この発明では補助ロック板１２Ａ，１２Ｂをケース２と一体に成形した平坦面１４に沿わせて移動させ、ロック状態とアンロック状態に選択的に設定できる構造としたから、補助ロック板１２Ａ，１２Ｂは単に平坦面１４と蓋１との間に挟み付けられるだけで大きく変形することはない。この結果、補助ロック板１２Ａ，１２Ｂは長期にわたって破損することがなく、耐久性の高い補助ロック装置を提供することができる利点が得られる。
【図面の簡単な説明】
【図１】この発明の一実施例を示す斜視図。
【図２】この発明の変形実施例を説明するための斜視図。
【図３】従来の技術を説明するための斜視図。
【図４】従来の技術の動作を説明するための拡大断面図。
【図５】従来の技術の欠点を説明するための拡大断面図。
【符号の説明】
１      蓋
１Ａ      回動遊端
２      ケース
３      開口部
４      ヒンジ
５      プッシュ−プッシュロック機構
６      ロック片
１２Ａ，１２Ｂ      補助ロック板
１２Ｃ，１２Ｄ      突起
１２Ｅ      ツマミ
１３      段部
１４      平坦面
【図１】
0004394823.tif 000002
【図２】
0004394823.tif 000003
【図３】
0004394823.tif 000004
【図４】
0004394823.tif 000005
【図５】
0004394823.tif 000006